(57)【特許請求の範囲】
【請求項１】
内部を加減圧する長尺筒体の外形を有する密閉耐圧構造のハウジングと、前記ハウジングの外側端部に設けられ前記ハウジングを縦方向に設置する第１の支持台と、前記ハウジングの外側の複数部位に設けられ前記ハウジングを横方向に設置する第２の支持台と、前記ハウジングの長尺筒体の内側に沿って設けられる運動補助設備とベッド設備とを備え、
前記第１の支持台によりハウジングが縦方向に設置されるときに運動補助設備が前記縦方向と同方向に向かって使用可能となるとともに、前記第２の支持台によりハウジングが横方向に設置されるときにベッド設備が前記横方向と同方向に向かって使用可能となり、運動補助設備とベッド設備は縦方向と横方向で兼用されることを特徴とする加減圧カプセル装置。
【請求項２】
前記運動補助設備は、前記ハウジングの長尺筒体の内側に沿ってスライド可能な複数の板状部材を有し、前記ハウジングが縦方向に設置されるときに、前記板状部材が屈折して椅子となることを特徴とする請求項１に記載の加減圧カプセル装置。
【請求項３】
前記運動補助設備は、前記ハウジングが縦方向に設置されるときに、前記ハウジングの内側の上部に設置され、利用者がぶらさがる運動を行う運動補助器具を有することを特徴とする請求項１又は２に記載の加減圧カプセル装置。
【請求項４】
前記ベッド設備は、ハウジングが横方向に設置されるときに、前記板状部材を並べて形成されることを特徴とする請求項１に記載の加減圧カプセル装置。
【請求項５】
内部を加減圧する長尺筒体の外形を有する密閉耐圧構造のハウジングと、前記ハウジングの外側端部に設けられ前記ハウジングを縦方向に設置する第１の支持台と、前記ハウジングの外側の複数部位に設けられ前記ハウジングを横方向に設置する第２の支持台と、前記ハウジングの長尺筒体の内側に沿って設けられる運動補助設備とベッド設備と、前記ハウジングの内側に設けられ所定波長のＬＥＤ照明装置とを備え、
前記第１の支持台によりハウジングが縦方向に設置されるときに運動補助設備が前記縦方向と同方向に向かって使用可能となるとともに、前記第２の支持台によりハウジングが横方向に設置されるときにベッド設備が前記横方向と同方向に向かって使用可能となり、前記ＬＥＤ照明装置は運動補助設備とベッド設備が縦方向と横方向で兼用されるときに点灯されることを特徴とする加減圧カプセル装置。
【請求項６】
前記ハウジングの内部を加圧する高気圧カプセル装置であることを特徴とする請求項１〜５のいずれか１項に記載の加減圧カプセル装置。
【発明の詳細な説明】
【技術分野】
【０００１】
本発明は、ハウジング内部で高気圧環境又は減圧環境を実現するためのカプセル装置に関するものである。
【背景技術】
【０００２】
従来、内部に大気圧より低い気圧または大気圧より高い気圧の環境を作り上げ、中で運動等を行うことができる装置が提案されている。
【０００３】
例えば、内部の気圧を加減圧することができる運動用気密室が提案されている（特許文献１）。
【０００４】
特許文献１の運動用気密室は、適宜の運動器具を搬入することができ、且つ少なくとも一人が飛んだり跳ねたりし得る容積をもった透明のカプセル状室本体を有するものである。
【０００５】
また例えば、内部の気圧を制御できるトレーニング用加減圧カプセルが提案されている（特許文献２）。
【０００６】
特許文献２のトレーニング用加減圧カプセルは、スポーツジム等の施設に設置されるものであり、内部の気圧を制御する加減圧発生装置と、温度を制御する空気調和機と、一定方向に任意の風速で風を発生させることができる送風機と、モーターにより駆動され可変速の走行ベルト装置とから構成されている。使用者が所定の気圧、温度、風速の環境で走行ベルト装置を利用してランニングを行う。
【０００７】
また、高地の気圧環境を平地で実現するためのカプセル型低圧室が提案されている（特許文献３）。
【０００８】
特許文献３のカプセル型低圧室は、２つの楕円体形鏡板の外周端部を突き合わせて内部に設けた凹部を居住空間ができるように筐体を構成してある。筐体の片側に開口部が設けられている。さらに、筐体の内部に利用者が座るための椅子が設けられている。
【先行技術文献】
【特許文献】
【０００９】
【特許文献１】特開平２−４２９９２号公報
【特許文献２】特開平２−１１８５７１号公報
【特許文献３】特開２００７−１３６１５２号公報
【発明の概要】
【発明が解決しようとする課題】
【００１０】
しかしながら、特許文献１の運動用気密室は、運動器具を搬入するためのある程度の広さスペースが必要となり、設置場所が必要となる。また、従来の運動器具は設置場所を広く必要とするうえに、重量も有るために移動もしくは持ち運びが困難である。
【００１１】
特許文献２のトレーニング用加減圧カプセルは、所定の気圧、温度、風速の環境を実現することができるが、空気調和機、送風機および走行ベルト装置を収納するために大きな容積が必要となり、設置スペースが大きく必要となる。また、ランニングしかできない専用構造である。
【００１２】
また、特許文献３のカプセル型低圧室は、コンパクトであるが、内部に利用者が座るための椅子のみが設置されている静止耐久型であり、運動器具の設置ができる内部構造を示しておらず、使用目的が限られている。
【００１３】
さらに、特許文献１〜３は、一方向に設置することしか念頭においていない。即ち、使用目的等に応じて設置方向を変更するという技術思想が開示されていない。
【００１４】
そこで、本発明者は、施設のほかに家庭等においても設置可能なスペース内に収まるコンパクトさを備える装置形態を研究した。特に、家庭内では、天井高さと室内幅スペース等とを考慮し、扱いやすさも重要な要素となる。軽量化も重要な要素である。次に、上記スペース等の制約下において、身体の運動を可能にできると同時に、リラックスする静止状態をも可能とする兼用目的を同時に達成できる構造としなければならない。身体の運動では身体の最大伸び代の運動器具等の設備が要求され、運動設備等と別個にリラクゼイションの設備が必要である。
【００１５】
発明者は、さらなる機能の付加を研究した。上記した装置形態や兼用目的の制約下において、身体の運動機能の一層の活性化を図ることができ、静止状態におけるリラックス効果を向上することを希求した。加減圧下においては、特定波長の点灯が加減圧との共同により身体の活性化に寄与することを見出した。
【００１６】
そこで、本発明は、コンパクトで、使用目的によってハウジングを縦方向または横方向に設置することでき、かつ内部の運動補助設備とベッド設備は縦方向と横方向で兼用することができる加減圧カプセル装置を提供することを目的として提供されるものである。また、加減圧とＬＥＤ照明との共同作用により身体の活性化を促進することができる加減圧カプセル装置を提供することを目的とする。
【課題を解決するための手段】
【００１７】
上記課題を解決するため、本発明に係る加減圧カプセル装置は、内部を加減圧する長尺筒体の外形を有する密閉耐圧構造のハウジングと、前記ハウジングの外側端部に設けられ前記ハウジングを縦方向に設置する第１の支持台と、前記ハウジングの外側の複数部位に設けられ前記ハウジングを横方向に設置する第２の支持台と、前記ハウジングの長尺筒体の内側に沿って設けられる運動補助設備とベッド設備とを備え、前記第１の支持台によりハウジングが縦方向に設置されるときに運動補助設備が前記縦方向と同方向に向かって使用可能となるとともに、前記第２の支持台によりハウジングが横方向に設置されるときにベッド設備が前記横方向と同方向に向かって使用可能となり、運動補助設備とベッド設備は縦方向と横方向で兼用されることを特徴とするものである。
【００１８】
例えば、前記運動補助設備は、前記ハウジングの長尺筒体の内側に沿ってスライド可能な複数の板状部材を有し、前記ハウジングが縦方向に設置されるときに、前記板状部材が屈折して椅子となる。
【００１９】
また例えば、前記運動補助設備は、前記ハウジングが縦方向に設置されるときに、前記ハウジングの内側の上部に設置され、利用者がぶらさがる運動を行う運動補助器具を有する。
【００２０】
また例えば、前記ベッド設備は、ハウジングが横方向に設置されるときに、前記板状部材を並べて形成される。
【００２１】
また、内部を加減圧する長尺筒体の外形を有する密閉耐圧構造のハウジングと、前記ハウジングの外側端部に設けられ前記ハウジングを縦方向に設置する第１の支持台と、前記ハウジングの外側の複数部位に設けられ前記ハウジングを横方向に設置する第２の支持台と、前記ハウジングの長尺筒体の内側に沿って設けられる運動補助設備とベッド設備と、前記ハウジングの内側に設けられ所定波長のＬＥＤ照明装置とを備え、前記第１の支持台によりハウジングが縦方向に設置されるときに運動補助設備が前記縦方向と同方向に向かって使用可能となるとともに、前記第２の支持台によりハウジングが横方向に設置されるときにベッド設備が前記横方向と同方向に向かって使用可能となり、前記ＬＥＤ照明装置は運動補助設備とベッド設備が縦方向と横方向で兼用されるときに点灯されることを特徴とするものである。
【００２２】
例えば、上記の加減圧カプセル装置は、前記ハウジングの内部を加圧する高気圧カプセル装置であることを特徴とするものである。
【発明の効果】
【００２３】
本発明によれば、加減圧カプセル装置は、ハウジングと、ハウジングを縦方向に設置する第１の支持台と、ハウジングを横方向に設置する第２の支持台と、ハウジングの内部に設けられる運動補助設備とベッド設備とを備えることで、使用目的によってハウジングを縦方向または横方向に設置することでき、かつ縦方向に設置したときに運動補助設備が使用可能になるとともに、横方向に設置したときにベッド設備が使用可能になり、運動補助設備とベッド設備は縦方向と横方向で兼用することができる。また、ハウジングをコンパクトにすることで、容易に移動運搬することができる。また、利用者が高気圧環境でリハビリ、トレーニングを行うことができるとともに、休憩、疲労回復等の目的にも利用できる。
【００２４】
また、運動補助設備は、一対のレールにスライド可能な複数の板部材を有することで、ハウジングが縦方向に設置される際に、利用者が脚、腕の筋肉をトレーニングすることができる。また、椅子としても利用できる。
【００２５】
また、運動補助設備は、ハウジングが横方向に設置される際に、複数の板部材がレールに並べた状態でベッド設備となることにより、利用者が高気圧環境で横臥することができる。また、利用者が横臥で脚の運動も可能である。
【００２６】
運動補助設備は、ぶらさがる運動を行う運動補助器具を有することで、ハウジングが縦方向に設置される状態において、高気圧環境でぶらさがる運動を行うことができる。
【００２７】
また、本発明によれば、加減圧カプセル装置は、ハウジングの内側に青色の発光ダイオードを用いたＬＥＤ照明装置を配置することで、利用者が青い光を浴びることができ、高気圧と青色の発光ダイオードの光との共同作用により身体機能の活性化を促進することが可能である。
【図面の簡単な説明】
【００２８】
【図１】本発明の実施の形態の高気圧カプセル装置１の縦方向に設置する状態を示す斜視図である。
【図２】本発明の実施の形態の高気圧カプセル装置１の横方向に設置する状態を示す斜視図である。
【図３】本発明の実施の形態の高気圧カプセル装置１の構成を示す分解図である。
【図４】高気圧カプセル装置１のハウジング１０の断面図である。
【図５】高気圧カプセル装置１の縦方向に設置する状態を示す断面図である。
【図６】高気圧カプセル装置１の横方向に設置する状態を示す断面図である。
【図７】高気圧カプセル装置１の利用状態（その１）を示す図である。
【図８】高気圧カプセル装置１の利用状態（その２）を示す図である。
【図９】高気圧カプセル装置１の利用状態（その３）を示す図である。
【発明を実施するための形態】
【００２９】
以下、本発明に係る加減圧カプセル装置の実施の形態として高気圧カプセル装置を、図を参照して説明する。
【００３０】
本発明に係る高気圧カプセル装置１は、ハウジング内部を高気圧状態（１．３気圧前後が適当である。）にし、この高気圧状態でリハビリ、トレーニング等を行うための装置である。以下、コンプレッサーから供給された圧縮空気により内部を高気圧状態にし、この高気圧状態でリハビリ、トレーニング等を行う例を説明する。
【００３１】
図１は、本発明の実施の形態の高気圧カプセル装置１の縦方向に設置する状態を示す斜視図である。図１において、第１の支持手段２０の装着部の拡大図も示している。図２は、本発明の実施の形態の高気圧カプセル装置１の横方向に設置する状態を示す斜視図である。図２において、第２の支持手段３０ａ，３０ｂの装着部の拡大図、および出入り用の梯子６０を配置した状態を示している。図３は、本発明の実施の形態の高気圧カプセル装置１の構成を示す分解図である。図４は、高気圧カプセル装置１のハウジング１０のＡ−Ａ断面図である。図４において、ハウジング１０内部の運動補助設備４０を省略した状態を示している。図５は、高気圧カプセル装置１の縦方向に設置する状態を示す断面図である。図６は、高気圧カプセル装置１の横方向に設置する状態を示す断面図である。図６において、横方向に設置する場合の利用状態（利用者の横臥状態）も示している。
【００３２】
図１〜図６に示すように、高気圧カプセル装置１は、内部を加減圧する長尺筒体の外形を有する密閉耐圧構造のハウジング１０と、第１の支持台としての第１の支持手段２０と、第２の支持台としての第２の支持手段３０ａ，３０ｂと、長尺筒体の内側に沿って設けられる運動補助設備４０と、所定波長のＬＥＤ照明装置８０と、加圧発生装置９０とを備える。運動補助設備４０は、横方向に設置するときベッド設備となる。ベッド設備は、ハウジング１０が横方向に設置されるときに、複数の板状部材（板部材５２、第１の延長板５４、第２の延長板５６）を並べて形成される。
【００３３】
高気圧カプセル装置１において、第１の支持手段２０によりハウジング１０が縦方向に設置されるときに運動補助設備４０が前記縦方向と同方向に向かって使用可能となるとともに、第２の支持手段３０ａ，３０ｂによりハウジング１０が横方向に設置されるときにベッド設備が横方向と同方向に向かって使用可能となり、運動補助設備とベッド設備は縦方向と横方向で兼用される。ここで、長尺筒体の内側に沿って運動補助設備とベッド設備がその都度配置されている。
【００３４】
ハウジング１０は、内部を加圧する密閉耐圧構造のカプセル状で、即ち、端部１０ａ，１０ｂと筒部１０ｃをパッキンを介して突き合わせて構成された両端が封止された長筒状である。端部１０ａ，１０ｂと筒部１０ｃは、連結棒１３により連結されている。端部１０ａ，１０ｂは、帯状の連結部１４ａ，１４ｂを有し、この連結部１４ａ，１４ｂの外周には、連結棒１３を固定するための連結孔を有する取付部１５ａ，１５ｂが複数（例えば４〜８個）設けられている。連結する際に筒部１０ｃの端部が連結部１４ａ，１４ｂの溝に差し込まれて、パッキンにより接続部の気密性を確保している。また、連結棒１３と取付部１５ａ，１５ｂとの連結は、溶接またはネジ込み等方法が考えられる。また、この例において、ハウジング１０の大きさは、おとな一人が中で屈伸運動およびぶらさがる運動を行うことができる程度とされる。例えば、直径８００ｍｍ程度、長さ２０００ｍｍ程度である。
【００３５】
また、取付部１５ａの下端には、第１の支持手段２０を装着することが可能とされる。また、取付部１５ａ，１５ｂには、第２の支持手段３０ａ，３０ｂを装着することが可能とされる。
【００３６】
筒部１０ｃには、利用者が出入用の開口部１１が形成されている。開口部１１は筒体の一部を切り欠きしてから構成されている。また、開口部１１に補強するための折り曲げ部（補強爪）が形成されている。
【００３７】
開口部１１には、スライド式、気密性の扉１２が設けられている。図４に示すように、扉１２は溝を有する扉用レール１２ａに沿って左右にスライドすることで開閉できる。これによりハウジング１０は、内部を加圧室とする密閉耐圧構造とされている。扉１２は、透明または半透明材料から形成される。例えば、透明のガラスまたは樹脂材にスモークフィルム(smoke  film)を貼り付けて構成することが好ましい。透明度の低いフィルムを用いることで内部の利用者のプライバシーも保護される。
【００３８】
また、ハウジング１０の下部の端部１０ａには、空気用入口１６、空気用出口１７が設けられ、配管９１，９２を介してコンプレッサーを備えた加圧発生装置９０に接続される。コンプレッサーから供給された圧縮空気は、空気用入口１６に接続された内部配管（図示せず）により端部１０ｂ側に誘導されてハウジング１０の内部に吹き出す。この圧縮空気によりハウジング１０の内部が高気圧環境になる。ハウジング１０の内部の気圧は、例えば、１．２〜１．４気圧（大気圧を１気圧として）であり、好ましくは１．３気圧である。このような高気圧状態で有酸素運動を行い、リハビリ、トレーニングの効果を向上することが可能である。
【００３９】
また、端部１０ａには、ＡＣ電源線を導入する引き込み口が設けられている（図示せず）。これにより、ＬＥＤ照明装置、操作パネルに安定した電力を供給することが可能となる。なお、ハウジング１０の内部と加圧発生装置９０側に対話連絡用の電話を設けた場合、通信線はＡＣ電源線と一緒に引き込み口から導入することができる。また、図に示していないが、加圧発生装置９０には、気圧調整等を行う操作パネルが設けられている。
【００４０】
第１の支持手段２０は、ハウジング１０の外側端部に着脱可能に設けられ、ハウジング１０を縦方向に設置するためのものである。この第１の支持手段２０は、４本の脚部２１と、連結固定部材２２と、キャスター２３とから構成されている。脚部２１の上端には、端部１０ａの連結部１４ａの取付部１５ａに挿入する取付端部２１ａが形成されている。取付端部２１ａは例えばネジ等により取付部１５ａに固定されている。
【００４１】
第２の支持手段３０ａ，３０ｂは、ハウジング１０の外側の複数部位に着脱可能に設けられ、ハウジング１０を横方向に設置するためのものである。例えば連結部１４ａ，１４ｂの取付部１５ａ，１５ｂに着脱可能に取り付けられている。この第２の支持手段３０ａ，３０ｂは、脚部３１ａ，３１ｂと、連結部材３２ａ，３２ｂと、キャスター３４ａ，３４ｂとからなる。支持具３１ａ，３１ｂの一端に取付部１５ａ，１５ｂに挿入するための取付端部３３ａ，３３ｂが形成されている。取付端部３３ａ，３３ｂは例えばネジ等により取付部１５ａ，１５ｂに固定されている。なお、第２の支持手段３０ａと３０ｂとは、ハウジング１０に装着後、連結手段を用いて連結し固定するようにしてもよい。
【００４２】
図５に示すように、ハウジング１０が縦方向に設置されている場合、第２の支持手段３０ａ，３０ｂは装着されず、そのため、高気圧カプセル装置１の設置の邪魔にならない。また、縦方向に設置する状態において、高気圧カプセル装置１は簡単に移動することができる。
【００４３】
また、図６に示すように、ハウジング１０が横方向に設置されている場合、第１の支持手段２０は装着されず、第２の支持手段３０ａ，３０ｂのみでハウジング１０を支える。なお、図５、図６では、付勢手段７０が外された状態を示している。
【００４４】
運動補助設備４０は、ハウジング１０の内部に設けられて、利用者が複数の運動を行うことができるものである。例えば、運動補助設備４０は、ハウジング１０が縦方向に設置される際に利用者がぶらさがる運動を行う第１の運動補助器具４０ａと、脚または腕の筋肉をトレーニングするための第２の運動補助器具４０ｂとを備える。
【００４５】
第１の運動補助器具４０ａは、ハウジング１０が縦方向に設置される状態で、ハウジング１０の内側の上部に水平に設置された棒状部材４１からなる。棒状部材４１は、水平に設置された一対の支持アーム４２と垂直に設置された一対の固定部材４３との接合部の間に固定されている。固定部材４３の上端は取付具４４を介してハウジング１０の端部１０ｂに固定される。棒状部材４１の設置高度は利用者が掴んでぶらさがることができるように適宜に設計される。なお、棒状部材４１の設置高度を調整できるようにしてもよい。
【００４６】
第２の運動補助器具４０ｂは、一対のレール５１と、このレール５１にスライド可能な板部材（板状部材）５２と、該板部材５２を所定方向に付勢する付勢手段７０とを備える。レール５１の上端は支持アーム４２に固定され、下端はハウジング１０の端部１０ａに固定されている。板部材５２はローラー機構を有し、レール５１に沿って自在にスライドすることが可能である。また、板部材５２は、連結軸５３を介して第１の延長板（板状部材）５４の一端に着脱可能に連結され、この第１の延長板５４の他端は連結軸５５を介して第２の延長板（板状部材）５６の一端に着脱可能に連結され、第２の延長板５６の他端は連結軸５７を介してレール５１の下端に連結される。板部材５２と第１の延長板５４と第２の延長板５６を屈折させた状態で椅子となる（図５参照）。この際に、ロック機構（図示せず）によって第１の延長板５４をレール５１にロックすることで水平状態を保つことができる。なお、ロック機構としては、蝶ねじまたはノブねじが考えられる。
【００４７】
また、板部材５２の一端（上端）には、弾性を有する一対の肩ガード５２ａが取付部材５２ｂを介して装着されている。肩ガード５２ａは取付部材５２ｂに対して上下方向に移動可能である。また、肩ガード５２ａはねじで所定の位置に固定される。なお、肩ガード５２ａには、肩の形状に合わせた円弧状の板を用いてもよい。
【００４８】
また、付勢手段７０は、両端に取付穴が設けられた取付部を有するゴム材またはバネから構成される。この例において、付勢手段７０は、ゴム材から形成される。この付勢手段７０は、ねじ７１で板部材５２に連動する付勢手段取付部５２ｃとレール５１の下端に設けられる付勢手段取付部５１ａに取り付けられる。これにより、第２の運動補助器具４０ｂを利用して脚または腕の筋肉をトレーニングすることができる。また、付勢手段取付部５２ｃと付勢手段取付部５２ｄには、上下方向に複数のねじ穴が設けられているため、付勢手段７０の取付位置を調整することが可能であり、使用者が自身の状態に合わせてトレーニングの強度を調整することができる。なお、付勢手段７０は、付勢手段取付部５２ｄと付勢手段取付部５１ｂに取り付けるようにしてもよい。この場合、付勢手段７０の付勢方向が異なる。
【００４９】
また、第２の運動補助器具４０ｂは、ハウジング１０が横方向に設置される際に板部材５２、第１の延長板５４および第２の延長板５６をレール５１に沿って並べて利用者が横臥するためのベッド設備を構成することができる。利用者がこのベッド設備に横臥することが可能である（図６参照）。これにより、利用者が高気圧環境においてリラックスした状態で休憩、または疲労回復することができる。また、利用者が横臥する体勢で脚の運動を行うことができる。
【００５０】
なお、ハウジング１０の内側に青色発光ダイオード（例えば、波長４６０ナノメートル）を用いたＬＥＤ照明装置８０が配置されている。ここで、ＬＥＤ照明装置８０がハウジング１０の上端側に配置される。これにより、利用者が高気圧状態でリハビリ、トレーニングを行うと同時に青い光を浴びることができ、青い光による治療効果等も期待できる。なお、ＬＥＤ照明装置８０を開口部１１の片側または両側に配置するようにしてもよい。
【００５１】
図７は、高気圧カプセル装置１の利用状態（その１）を示す図である。図７に示すように、ハウジング１０が縦方向に設置される場合、利用者が両手を上げて棒状部材４１に掴まり、両足を床面から離れてぶらさがる運動を行うことができる。
【００５２】
図８は、高気圧カプセル装置１の利用状態（その２）を示す図である。図８に示すように、ハウジング１０が縦方向に設置される場合、連結軸５５を外して第２の延長板５６を床面と平行状態にし、利用者が第２の延長板５６の上に立てて、両手は肩ガード５２ａの握り部を握る状態で脚の屈曲と伸展（起立姿勢にするように）を繰り返すことで、脚の筋肉をトレーニングすることができる。この場合、付勢手段７０は、付勢手段取付部５２ｃとレール５１の下端に設けられた付勢手段取付部５１ａに取り付けられている。また、板部材５２と第１の延長板５４はレール５１に沿って移動する。
【００５３】
図９は、高気圧カプセル装置１の利用状態（その３）を示す図である。図９に示すように、ハウジング１０が縦方向に設置される場合、板部材５２と第１の延長板５４の連結を外し、第１の延長板５４をレール５１に固定して、第１の延長板５４と第２の延長板５６が椅子として利用できる。また、付勢手段７０は、付勢手段取付部５２ｃとレール５１の下端に設けられる付勢手段取付部５１ａに取り付けられ、または付勢手段取付部５２ｄとレール５１の上端に設けられた付勢手段取付部５１ｂに取り付けられる。利用者が第１の延長板５４に座った状態で、両手は肩ガード５２ａの握り部を握り、腕の屈曲と伸展を繰り返すことで、腕の筋肉をトレーニングすることができる。この場合、板部材５２はレール５１に沿って移動する。
【００５４】
なお、横方向に設置する場合の利用状態について、図５に示すように、利用者がこのベッド設備に横臥することができる。また、出入りの際に、図２に示すように、出入り用の梯子６０を用いることができる。
【００５５】
このように本実施の形態においては、高気圧カプセル装置１は、ハウジング１０と、ハウジング１０を縦方向に設置するための第１の支持手段２０と、ハウジング１０を横方向に設置するための第２の支持手段３０ａ，３０ｂと、運動補助設備４０とを備える。ハウジング１０は両端が封止された長筒状である。ハウジング１０は、内部を加圧室とする密閉耐圧構造とされている。ハウジング１０に利用者が出入用の開口部１１が形成され、開口部１１には気密性扉１２が設けられている。また、運動補助設備４０は、ハウジング１０が縦方向に設置される際に、利用者がぶらさがる運動を行う第１の運動補助器具４０ａと、脚、腕の筋肉をトレーニングするための第２の運動補助器具４０ｂとを備える。第２の運動補助器具４０ｂを変形させることで、椅子または横臥するためのベッド設備になる。
【００５６】
これにより、ハウジング１０を使用目的によって縦方向または横方向に設置することができ、かつ縦方向に設置したときに運動補助設備４０が使用可能になるとともに、横方向に設置したときにベッド設備が使用可能になり、運動補助設備４０とベッド設備は縦方向と横方向で兼用することができる。また、ハウジング１０をコンパクトにすることで、容易に移動運搬することができる。また、利用者が高気圧環境でリハビリ、トレーニングを行うことができるとともに、休憩、疲労回復等の目的にも利用できる。そのため、有酸素運動の効果を高めることができ、疲労回復、老化防止、新陳代謝促進、骨折・ケガの早期治癒等の効果が期待できる。
【００５７】
また、第１の運動補助器具４０ａを備えることで、ハウジング１０が縦方向に設置される際に、利用者がぶらさがる運動を行うことができる。
【００５８】
また、第２の運動補助器具４０ｂを備えることで、ハウジング１０が縦方向に設置される際に、利用者が脚、腕の筋肉をトレーニングすることができる。
【００５９】
また、第２の運動補助器具４０ｂの板部材５２と第１の延長板と第２の延長板は、屈折させた状態で椅子として利用できる。
【００６０】
また、第２の運動補助器具４０ｂの板部材５２と第１の延長板と第２の延長板は、ハウジング１０が横方向に設置される際に、板部材５２、第１の延長板５４および第２の延長板５６をレール５１に沿って並べて、利用者が横臥するためのベッド設備を構成することができる。
【００６１】
さらに、ハウジング１０の内側に青色発光ダイオード（波長は、例えば４６０ナノメートルである）を用いたＬＥＤ照明装置８０を配置することで、利用者が青い光を浴びることができ、高気圧と青色の発光ダイオードの光との共同作用により身体機能の活性化を促進することが可能である。例えば、血流の活性化の効果があると思われる。
【００６２】
なお、上述実施の形態においては、ハウジング１０の中に、利用者がぶらさがる運動を行う第１の運動補助器具４０ａと、脚または腕の筋肉をトレーニングするための第２の運動補助器具４０ｂとを備える運動補助設備４０が取り付けられたものについて説明したが、これ以外に小型の足踏自転車、乗馬運動器具、ボートこぎ運動装置等を設置してもよい。
【００６３】
また、上述実施の形態において、板部材５２、第１の延長板５４、第２の延長板５６は、板材からなるものについて説明したが、これに限定されるものではない。例えば、所定の枠にシートまたは網を固定してからなる構成にしてもよい。
【００６４】
また、ハウジング１０の形状を、上述実施の形態以外の形状にしてもよい。例えば、楕円体状、フラットな端面を有する円筒形または角筒形にしてもよい。
【００６５】
また、上述実施の形態において、第１の支持手段２０と第２の支持手段３０ａ，３０ｂは、着脱可能なものとしたが、これに限定されるものではない。例えば、第１の支持手段２０と第２の支持手段３０ａ，３０ｂは、ハウジング１０と一体にして形成されてもよい。また、第１の支持手段２０と第２の支持手段３０ａ，３０ｂは、４本の脚を有するものとしたが、これに限定されるものではない。台形の支持手段等を用いてもよい。
【００６６】
また、上述実施の形態において、ハウジング１０の内部に加圧して高気圧状態にする例を説明したが、これに限定されるものではない。高地トレーニングを行う目的で、高地の気圧環境を実現するために、ハウジング１０の内部に減圧して低気圧状態（例えば、０．８気圧）にすることも可能であり、減圧カプセル装置でも実施可能である。
【００６７】
さらに、上述実施の形態において、ＬＥＤ照明装置８０の設置位置は上述した実施の形態に限定されるものではない。また、青色発光ダイオードの代わりに、ＬＥＤ照明装置８０に赤色発光ダイオードを用いてもよい。近年の研究結果によると、ヒトを対象に、両眼を光から完全に遮蔽させた状態にて、前頭部の前方より赤色発光ダイオードの光（波長は、例えば６６０ナノメートルである）を照射する場合は、ストレス軽減の効果が期待できる。
【産業上の利用可能性】
【００６８】
この発明は、一般家庭、学校、スポーツジム、ホテル、病院、福祉施設等の一角に設置可能であり、高気圧環境でリハビリ、トレーニング等を行う目的に利用できる。
【符号の説明】
【００６９】
１  高気圧カプセル装置
１０  ハウジング
１０ａ，１０ｂ  端部
１０ｃ  筒部
１１  開口部
１２  扉
１２ａ  扉用レール
１３  連結棒
１４ａ，１４ｂ  連結部
１５ａ，１５ｂ  取付部
１５ｃ，１５ｄ  装着孔
１６  空気用入口
１７  空気用出口
２０  第１の支持手段
２１  脚部
２１ａ  取付端部
２２  連結固定部材
２３  キャスター
３０ａ，３０ｂ  第２の支持手段
３１ａ，３１ｂ  脚部
３２ａ，３２ｂ  連結部材
３３ａ，３３ｂ  取付端部
３４ａ，３４ｂ  キャスター
４０  運動補助設備
４０ａ  第１の運動補助器具
４０ｂ  第２の運動補助器具
４１  棒状部材
４２  支持アーム
４３  固定部材
４４  取付具
５１  レール
５１ａ，５１ｂ  付勢手段取付部
５２  板部材
５２ａ  肩ガード
５２ｂ  取付部材
５２ｃ，５２ｄ  付勢手段取付部
５３，５５，５７  軸
５４  第１の延長板
５６  第２の延長板
６０  梯子
７０  付勢手段
７１  ねじ
８０  ＬＥＤ照明装置
９０  加減圧発生装置
９１，９２  配管
【図１】
0005542458.tif 000002
【図２】
0005542458.tif 000003
【図３】
0005542458.tif 000004
【図４】
0005542458.tif 000005
【図５】
0005542458.tif 000006
【図６】
0005542458.tif 000007
【図７】
0005542458.tif 000008
【図８】
0005542458.tif 000009
【図９】
0005542458.tif 000010